(57)【特許請求の範囲】
【請求項１】
圧縮機及び室外熱交換器を有する室外機と、室内熱交換器を有する複数台の室内機と、が配管を介して接続されてなる冷媒回路を備えるとともに、
少なくとも前記圧縮機を制御する制御部を備え、
前記制御部は、所定の条件が成立すると、複数台の前記室内機に含まれる所定の室内機と、他の室内機とで、前記室内熱交換器を凍結又は結露させる処理を行う時間帯の少なくとも一部が重なるように、前記所定の室内機及び前記他の室内機で前記処理を自動で開始し、
前記所定の条件は少なくとも、前記所定の室内機における前記処理の前回終了時からの空調運転時間の積算値、又は、前記所定の室内機における前記処理の前回終了時からの室内ファンの駆動時間の積算値が所定値に達することであり、
前記所定の室内機における前記処理の前回終了時からの空調運転時間の積算値が前記所定値に達していない場合、又は、前記所定の室内機における前記処理の前回終了時からの前記室内ファンの駆動時間の積算値が前記所定値に達していない場合、前記他の室内機は前記処理を自動で開始しない空気調和機。
【請求項２】
前記所定の室内機における前記空調運転時間の積算値又は前記室内ファンの駆動時間の積算値が前記所定値に達していない場合において、リモコンの操作で他の室内機への前記処理の開始指令があったとき、前記制御部は、前記開始指令を受け付けないこと
を特徴とする請求項１に記載の空気調和機。
【請求項３】
前記所定の室内機の台数は２台以上であり、
２台以上である前記所定の室内機について、前記処理の前回終了時からの空調運転時間の積算値の和をとった値、若しくは、当該和を前記所定の室内機の台数で平均した値が所定値に達した場合、
又は、
２台以上である前記所定の室内機について、前記処理の前回終了時からの前記室内ファンの駆動時間の積算値の和をとった値、若しくは、当該和を前記所定の室内機の台数で平均した値が所定値に達した場合、
前記制御部は、２台以上である前記所定の室内機とともに、他の室内機でも前記処理を実行すること
を特徴とする請求項１に記載の空気調和機。
【請求項４】
複数台の前記室内機には、配線を介して所定のリモコンに接続されている前記所定の室内機と、別の配線を介して他のリモコンに接続されている他の室内機と、が含まれ、
前記所定のリモコンは、予め設定されている、又は、集中管理機器の操作に基づいて変更可能であること
を特徴とする請求項１に記載の空気調和機。
【請求項５】
複数台の前記室内機には、配線を介して所定のリモコンに接続されている２台以上の室内機と、別の配線を介して他のリモコンに接続されている他の室内機と、が含まれ、
前記所定の室内機は、前記所定のリモコンに配線を介して接続されている２台以上の前記室内機に含まれる所定の１台の室内機であること
を特徴とする請求項１に記載の空気調和機。
【請求項６】
前記制御部は、他の室内機のうち、前記処理の設定が無効になっている室内機、又は、前記処理を行う曜日、日付、及び時間帯のうち少なくとも一つの条件が満たされていない室内機を前記処理の対象から外すこと
を特徴とする請求項１に記載の空気調和機。
【請求項７】
複数台の前記室内機は、それぞれ、室内膨張弁を有し、
前記制御部は、
前記処理中、複数台の前記室内機のうち、前記処理の対象である前記室内機の前記室内熱交換器を蒸発器として機能させる一方、前記処理の対象外である前記室内機の前記室内膨張弁を閉じ、
前記処理後、複数台の前記室内機のうち、前記処理の対象である前記室内機の前記室内熱交換器を凝縮器として機能させる一方、前記処理の対象外である前記室内機の前記室内膨張弁を開くこと
を特徴とする請求項６に記載の空気調和機。
【請求項８】
前記制御部は、前記処理中、リモコン又は集中管理機器の操作で前記所定の室内機への空調運転の指令があった場合、前記所定の室内機及び前記他の室内機での前記処理を中止し、前記所定の室内機で空調運転を実行すること
を特徴とする請求項１に記載の空気調和機。
【請求項９】
前記制御部は、前記処理中、リモコン又は集中管理機器の操作で前記他の室内機のうち少なくとも一台に空調運転の指令があった場合、前記所定の室内機及び前記他の室内機での前記処理を中止し、少なくとも一台の前記他の室内機で空調運転を実行すること
を特徴とする請求項１に記載の空気調和機。 
【発明の詳細な説明】
【技術分野】
【０００１】
本発明は、空気調和機に関する。
【背景技術】
【０００２】
空気調和機の室内熱交換器を清潔な状態にする技術として、例えば、特許文献１には、制御装置が、室内熱交換器を冷却して着霜させた後、室内熱交換器を加熱して除霜する洗浄運転について記載されている。
【先行技術文献】
【特許文献】
【０００３】
【特許文献１】特許第６２９６６３３号公報
【発明の概要】
【発明が解決しようとする課題】
【０００４】
特許文献１には、室外機と室内機とを１台ずつ備える空気調和機の洗浄運転については記載されているが、１系統で複数台の室内機を備えるマルチ型の空気調和機の洗浄運転については記載されていない。例えば、マルチ型の空気調和機において、洗浄運転の開始条件が満たされた室内機ごとに個別に洗浄運転が行われると、圧縮機の駆動頻度が増加し、結果的に空気調和機の消費電力量も増加する可能性がある。【０００５】
また、複数台の室内機のうちの一部で洗浄運転が行われた場合でも、その室内機の室内熱交換器の他、配管の一部（例えば、ガス冷媒が通流する配管の共用部分）も冷やされる。その結果、複数台の室内機ごとに個別に洗浄運転が行われると、室内機における単位容量当たりの消費電力量の増加を招く。このようなことを考慮し、洗浄運転における省エネルギ化を図ることが望まれている。【０００６】
そこで、本発明は、複数の室内熱交換器の洗浄における省エネルギ化を図った空気調和機を提供することを課題とする。
【課題を解決するための手段】
【０００７】
前記した課題を解決するために、本発明に係る空気調和機は、圧縮機及び室外熱交換器を有する室外機と、室内熱交換器を有する複数台の室内機と、が配管を介して接続されてなる冷媒回路を備えるとともに、少なくとも前記圧縮機を制御する制御部を備え、前記制御部は、所定の条件が成立すると、複数台の前記室内機に含まれる所定の室内機と、他の室内機とで、前記室内熱交換器を凍結又は結露させる処理を行う時間帯の少なくとも一部が重なるように、前記所定の室内機及び前記他の室内機で前記処理を自動で開始し、前記所定の条件は少なくとも、前記所定の室内機における前記処理の前回終了時からの空調運転時間の積算値、又は、前記所定の室内機における前記処理の前回終了時からの室内ファンの駆動時間の積算値が所定値に達することであり、前記所定の室内機における前記処理の前回終了時からの空調運転時間の積算値が前記所定値に達していない場合、又は、前記所定の室内機における前記処理の前回終了時からの前記室内ファンの駆動時間の積算値が前記所定値に達していない場合、前記他の室内機は前記処理を自動で開始しないこととした。
【発明の効果】
【０００８】
本発明によれば、複数の室内熱交換器の洗浄における省エネルギ化を図った空気調和機を提供できる。
【図面の簡単な説明】
【０００９】
【図１】第１実施形態に係る空気調和機の冷媒回路を含む構成図である。
【図２】第１実施形態に係る空気調和機の各機器の接続関係を示す説明図である。
【図３】第１実施形態に係る空気調和機の機能ブロック図である。
【図４】第１実施形態に係る空気調和機の制御部が実行する処理のフローチャートである。
【図５】第１実施形態に係る空気調和機での洗浄処理に関するフローチャートである。
【図６】第１実施形態に係る空気調和機における洗浄処理のタイムチャートである。
【図７Ａ】第２実施形態に係る空気調和機の制御部が実行する処理のフローチャートである。
【図７Ｂ】第２実施形態に係る空気調和機の制御部が実行する処理のフローチャートである。
【図８】第２実施形態に係る空気調和機における洗浄処理のタイムチャートである。
【発明を実施するための形態】
【００１０】
≪第１実施形態≫
＜空気調和機の構成＞
図１は、第１実施形態に係る空気調和機１００の冷媒回路Ｑを含む構成図である。
なお、図１では、冷房サイクル（冷房運転時の冷凍サイクル）における冷媒の流れを実線矢印で示す一方、暖房サイクル（暖房運転時の冷凍サイクル）における冷媒の流れを破線矢印で示している。また、図１では、室外熱交換器２や４つの室内熱交換器１０の付近での空気の流れを白抜き矢印で示している。
【００１１】
空気調和機１００は、冷房運転や暖房運転等の空調を行う機器である。図１では、一例として、１台の室外機Ｕｏと、４台の室内機Ｕ１，Ｕ２，Ｕ３，Ｕ４と、が配管を介して所定に接続された１系統のマルチ型の空気調和機１００を示している。
【００１２】
空気調和機１００は、室外機Ｕｏに設けられる機器として、圧縮機１と、室外熱交換器２と、室外ファン３と、室外膨張弁４と、四方弁５と、アキュムレータ６と、室外温度センサ７と、阻止弁８，９と、を備えている。
圧縮機１は、低温低圧のガス冷媒を圧縮し、高温高圧のガス冷媒として吐出する機器であり、駆動源である圧縮機モータ１ａ（図３参照）を備えている。このような圧縮機１として、例えば、スクロール式圧縮機やロータリ式圧縮機が用いられる。
【００１３】
室外熱交換器２は、その伝熱管（図示せず）を通流する冷媒と、室外ファン３から送り込まれる外気と、の間で熱交換が行われる熱交換器である。室外熱交換器２の一端ｇ１は、四方弁５の切替えによって圧縮機１の吸入側又は吐出側に接続され、他端ｇ２は液側の配管Ｊ１に接続されている。
【００１４】
室外ファン３は、室外熱交換器２に外気を送り込むファンである。室外ファン３は、駆動源である室外ファンモータ３ａを備え、室外熱交換器２の付近に設置されている。
室外膨張弁４は、室外熱交換器２に流れる冷媒の流量を調整したり、室外熱交換器２を蒸発器として機能させる際に冷媒を減圧したりする電子膨張弁であり、液側の配管Ｊ１に設けられている。
【００１５】
四方弁５は、空調時の運転モードに応じて、冷媒の流路を所定に切り替える弁である。
アキュムレータ６は、四方弁５を介して流れ込む冷媒を気液分離する殻状部材である。アキュムレータ６によって気液分離された後、ガス状の冷媒が、圧縮機１の吸入側に導かれるようになっている。
【００１６】
室外温度センサ７は、外気の温度である室外温度を検出するセンサであり、室外機Ｕｏの所定箇所（図１の例では、室外熱交換器２の空気吸込側）に設置されている。
なお、図１では図示していないが、圧縮機１の吐出圧力・吐出温度・吸入圧力・吸入温度のうち一つ又は複数を検出するための各センサが適宜に設けられていてもよい。
【００１７】
阻止弁８，９は、空気調和機１００の据付後に開弁されることで、室外機Ｕｏに封入されている冷媒を冷媒回路Ｑの全体に行き渡らせるための弁である。一方の阻止弁８はガス側の配管Ｊ１０に設けられ、他方の阻止弁９は液側の配管Ｊ１に設けられている。
【００１８】
また、空気調和機１００は、室内機Ｕ１に設けられる機器として、室内熱交換器１０と、室内ファン１１と、室内膨張弁１２と、室内温度センサ１３と、室内熱交換器温度センサ１４と、を備えている。
室内熱交換器１０は、その伝熱管（図示せず）を通流する冷媒と、室内ファン１１から送り込まれる室内空気（空調室の空気）と、の間で熱交換が行われる熱交換器である。室内熱交換器１０の一端ｈ１はガス側の配管Ｊ３に接続され、他端ｈ２は液側の配管Ｊ２に接続されている。
【００１９】
室内ファン１１は、室内熱交換器１０に室内空気を送り込むファンである。室内ファン１１は、駆動源である室内ファンモータ１１ａを有し、室内熱交換器１０の付近に設置されている。
室内膨張弁１２は、室内熱交換器１０に流れる冷媒の流量を調整したり、室内熱交換器１０を蒸発器として機能させる際に冷媒を減圧したりする電子膨張弁であり、液側の配管Ｊ２に設けられている。
【００２０】
室内温度センサ１３は、空調室の温度である室内空気の温度を検出するセンサである。図１の例では、室内熱交換器１０の空気吸込側に室内温度センサ１３が設置されている。
室内熱交換器温度センサ１４は、室内熱交換器１０の温度を検出するセンサである。図１の例では、配管Ｊ２において室内熱交換器１０の他端ｈ２付近に室内熱交換器温度センサ１４が設置されている。
なお、室内熱交換器温度センサ１４の位置は、図１の例に限定されない。例えば、配管Ｊ３において室内熱交換器１０の一端ｈ１付近に室内熱交換器温度センサ１４が設置されていてもよい。また、室内熱交換器１０に直接的に室内熱交換器温度センサ１４が設置されていてもよい。
【００２１】
残り３台の室内機Ｕ２，Ｕ３，Ｕ４については、前記した室内機Ｕ１と同様の構成であるから、説明を省略する。
液側接続部Ｋ１，Ｋ２，Ｋ３は、冷房サイクル中には冷媒を分流させ、また、暖房サイクル中に冷媒を合流させるものである。例えば、冷房サイクル中には、配管Ｊ１を通流する冷媒が、液側接続部Ｋ１，Ｋ２，Ｋ３を順次に介して、４つの室内熱交換器１０に所定に分配されるようになっている。
【００２２】
ガス側接続部Ｋ４，Ｋ５，Ｋ６は、冷房サイクル中には冷媒を合流させ、また、暖房サイクル中に冷媒を分流させるものである。例えば、冷房サイクル中には、４つの室内熱交換器１０からガス側接続部Ｋ４，Ｋ５，Ｋ６を順次に介して、冷媒が合流するようになっている。
【００２３】
そして、空調時の運転モードに応じて、冷媒回路Ｑにおいて周知の冷凍サイクル（図１に示す冷房サイクル又は暖房サイクル）で冷媒が循環するようになっている。例えば、冷房サイクルでは、圧縮機１、室外熱交換器２（凝縮器）、室外膨張弁４、室内膨張弁１２、及び室内熱交換器１０（蒸発器）を順次に介して冷媒が循環する。一方、暖房サイクルでは、圧縮機１、室内熱交換器１０（凝縮器）、室内膨張弁１２、室外膨張弁４、及び室外熱交換器２（蒸発器）を順次に介して冷媒が循環する。
【００２４】
図２は、空気調和機１００の各機器の接続関係を示す説明図である。
図２に示すように、空気調和機１００は、前記した構成の他に、リモコン１５と、集中管理機器１６と、を備えている。また、室外機Ｕｏは室外制御回路１７を備える一方、室内機Ｕ１，Ｕ２，Ｕ３，Ｕ４は、それぞれ、室内制御回路１８を備えている。
【００２５】
室外制御回路１７及び室内制御回路１８は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００２６】
図２に示すように、室外制御回路１７は、配線ｍ１を介して室外温度センサ７に接続されている。そして、室外温度センサ７を含む各センサの検出値やリモコン１５からの信号に基づいて、室外制御回路１７が各機器の制御指令値を算出するようになっている。
【００２７】
また、室外制御回路１７は、通信線ｍ３を介して、室内制御回路１８に接続されている。室内制御回路１８は、配線ｍ２１を介して室内温度センサ１３に接続され、また、配線ｍ２２を介して室内熱交換器温度センサ１４に接続されている。これらの各検出値は、通信線ｍ３を介して、室内制御回路１８から室外制御回路１７に伝達される。そして、室内制御回路１８は、室外制御回路１７によって算出された制御指令値に基づき、室内ファンモータ１１ａ（図１参照）や室内膨張弁１２（図１参照）を所定に制御する。
【００２８】
図２の例では、４つのリモコン１５は、４台の室内機Ｕ１，Ｕ２，Ｕ３，Ｕ４のそれぞれの室内制御回路１８と一対一で対応するように、配線ｍ４を介して接続されている。なお、１つのリモコン１５に複数台の室内機が接続されるようにしてもよい。
例えば、室内機Ｕ１に接続されているリモコン１５は、ユーザの操作によって、室内機Ｕ１に所定の制御指令を与える機能を有している。前記した制御指令として、空気調和機１００の運転／停止や、運転モードの切替えや設定温度・風量・風向の変更の他、後記する洗浄処理の開始が挙げられる。なお、他の室内機Ｕ２，Ｕ３，Ｕ４についても同様である。
【００２９】
集中管理機器１６は、４つのリモコン１５の表示や設定等を制御する装置であり、通信線ｍ５を介して、室外制御回路１７に接続されている。なお、ユーザ（管理者）が集中管理機器１６を所定に操作することで、空調の設定の他、４つのリモコン１５における表示のさせ方等を変更することも可能である。
【００３０】
図３は、空気調和機１００の機能ブロック図である。
なお、図３では、４台の室内機Ｕ１，Ｕ２，Ｕ３，Ｕ４のうち１台の室内機Ｕ１を図示し、残り３台の室内機Ｕ２，Ｕ３，Ｕ４の図示を省略している。
図３に示すように、室外制御回路１７は、記憶部１７ａと、室外制御部１７ｂと、を備えている。記憶部１７ａには、所定のプログラムや各センサの検出値の他、集中管理機器１６から入力されたデータ等が格納される。室外制御部１７ｂは、記憶部１７ａに格納されているデータに基づいて、圧縮機モータ１ａ、四方弁５、室外膨張弁４、室外ファンモータ３ａ等を制御する。
【００３１】
一方、室内制御回路１８は、記憶部１８ａと、室内制御部１８ｂと、を備えている。
記憶部１８ａには、所定のプログラムや各センサの検出値の他、リモコン１５を介して入力されたデータ等が格納される。室内制御部１８ｂは、記憶部１８ａに格納されているデータに基づいて、室内膨張弁１２や室内ファンモータ１１ａの他、風向板用モータ１９等を所定に制御する。以下では、室外制御回路１７及び室内制御回路１８を総称して、「制御部２０」という。
なお、図３に示す風向板用モータ１９は、室内機Ｕ１の風向板（図示せず）の角度を調整することで、室内に吹き出される空気の風向きを調整するモータである。
【００３２】
次に、室内熱交換器１０（図１参照）を洗浄するための一連の処理について説明する。
室内熱交換器１０の空気吸込側には、塵や埃を捕集するためのフィルタ（図示せず）が設けられていることが多い。しかしながら、細かい塵や埃がフィルタを通り抜けて、室内熱交換器１０に付着する可能性がある。したがって、室内熱交換器１０を定期的に洗浄することが望ましい。そこで、第１実施形態では、室内熱交換器１０を凍結（着霜）させた後、室内熱交換器１０の氷や霜を溶かすことで、室内熱交換器１０を洗浄するようにしている。このような一連の処理を、室内熱交換器１０の「洗浄処理」という。
【００３３】
図４は、空気調和機の制御部が実行する処理のフローチャートである（適宜、図１、図３を参照）。
なお、図４では、洗浄処理に関する処理を示し、他の処理（通常の空調運転等）については省略している。
ステップＳ１０１において制御部２０は、全ての室内機Ｕ１，Ｕ２，Ｕ３，Ｕ４が停止中であるか否かを判定する。全ての室内機Ｕ１，Ｕ２，Ｕ３，Ｕ４が停止中である場合（Ｓ１０１：Ｙｅｓ）、制御部２０の処理はステップＳ１０２に進む。一方、ステップＳ１０１において、空調運転を行っている（つまり、停止中ではない）室内機が少なくとも一台存在する場合（Ｓ１０１：Ｎｏ）、制御部２０の処理は「ＳＴＡＲＴ」に戻る（ＲＥＴＵＲＮ）。
【００３４】
なお、室内熱交換器１０の凍結等を行う洗浄処理と、通常の空調運転と、では圧縮機１における圧力の動作点が大きく異なる。したがって、全ての室内機Ｕ１，Ｕ２，Ｕ３，Ｕ４が停止中であるときに、制御部２０が、洗浄処理に関する所定の判定処理（次のステップＳ１０２）を行うようにしている。
【００３５】
ステップＳ１０２において制御部２０は、代表の室内機（所定の室内機）の空調運転時間の積算値が所定値に達したか否かを判定する。なお、第１実施形態では、一例として、「代表の室内機」が室内機Ｕ１として、予め設定されている場合について説明する。なお、集中管理機器１６の操作で代表の室内機が適宜に変更されてもよい。
【００３６】
前記したステップＳ１０２に関して、代表の室内機Ｕ１の空調運転時間の積算値とは、例えば、前回の洗浄処理の終了時を基準として、冷房運転や暖房運転等の通常の空調運転が行われた時間を積算した値（和をとった値）である。
【００３７】
ステップＳ１０２において、代表の室内機Ｕ１の空調運転時間の積算値が所定値に達している場合（Ｓ１０２：Ｙｅｓ）、制御部２０の処理はステップＳ１０３に進む。一方、代表の室内機Ｕ１の空調運転時間の積算値が所定値に達していない場合（Ｓ１０２：Ｎｏ）、制御部２０の処理は「ＳＴＡＲＴ」に戻る（ＲＥＴＵＲＮ）。そして、制御部２０は、ステップＳ１０２の条件が満たされるまで、ステップＳ１０１，Ｓ１０２の処理を繰り返す。このように、ステップＳ１０１，Ｓ１０２の処理が繰り返されている期間では、代表の室内機Ｕ１や他の室内機Ｕ２，Ｕ３,Ｕ４の洗浄処理は行われない。
【００３８】
すなわち、制御部２０は、複数台の室内機Ｕ１，Ｕ２，Ｕ３，Ｕ４に含まれる所定の室内機Ｕ１が、室内熱交換器１０の凍結等の処理を開始するまで、他の室内機Ｕ２，Ｕ３，Ｕ４では、前記した処理（凍結）を開始しない。これによって、室内機ごとに個別に洗浄処理が行われる場合に比べて、圧縮機１の駆動頻度を低減し、ひいては、空気調和機１００の消費電力量を大幅に削減できる。
【００３９】
なお、他の室内機Ｕ２，Ｕ３，Ｕ４で室内熱交換器１０の凍結等の処理を「開始しない」とは、他の室内機Ｕ２，Ｕ３，Ｕ４での前回の洗浄処理を行った後、制御部２０が、他の室内機Ｕ２，Ｕ３，Ｕ４での今回の洗浄処理をまだ開始しないという意味である。
【００４０】
次に、ステップＳ１０３において制御部２０は、代表の室内機Ｕ１とともに他の室内機Ｕ２，Ｕ３，Ｕ４でも洗浄処理を実行する。つまり、制御部２０は、代表の室内機Ｕ１及び他の室内機Ｕ２，Ｕ３，Ｕ４において、洗浄処理を行う時間帯の少なくとも一部が重なるようにする。
例えば、制御部２０が、室内機Ｕ１，Ｕ２，Ｕ３，Ｕ４で洗浄処理を開始するタイミングを略一致させてもよい。また、例えば、制御部２０が、室内機Ｕ１，Ｕ２，Ｕ３，Ｕ４で洗浄処理を終了するタイミングを略一致させてもよい。また、室内機Ｕ１，Ｕ２，Ｕ３，Ｕ４の機種や室内熱交換器１０の容量に違いがある場合、室内熱交換器１０の凍結時間の長さが異なるものが混在していてもよい。ステップＳ１０３の処理を行った後、制御部２０の処理は「ＳＴＡＲＴ」に戻る（ＲＥＴＵＲＮ）。
【００４１】
図５は、空気調和機での洗浄処理に関するフローチャートである。
すなわち、図５は、図４のステップＳ１０３に関して、それぞれの室内機Ｕ１，Ｕ２，Ｕ３，Ｕ４で行われる洗浄処理を具体的に示したものである。
図５のステップＳ１０３ａにおいて制御部２０は、室内熱交換器１０を凍結させる。詳細については後記するが、制御部２０は、室内熱交換器１０を蒸発器として機能させ、室内熱交換器１０を着霜させる。
次に、ステップＳ１０３ｂにおいて制御部２０は、室内熱交換器１０を解凍する。例えば、制御部２０は、室内熱交換器１０を凝縮器として機能させ、室内熱交換器１０の霜を溶かす。これによって、霜の解凍に伴う水で、室内熱交換器１０の塵や埃が洗い流される。
【００４２】
ステップＳ１０３ｃにおいて制御部２０は、室内熱交換器１０を乾燥させる。例えば、制御部２０は、解凍時から所定期間は空調運転を禁止し、空気の自然対流で室内熱交換器１０を乾燥させる。ステップＳ１０３ｃの処理を行った後、制御部２０は、洗浄処理に関する一連の処理を終了する（ＥＮＤ）。
【００４３】
図６は、空気調和機における洗浄処理のタイムチャートである（適宜、図１、図３を参照）。
以下では、一例として、全ての室内機Ｕ１，Ｕ２，Ｕ３，Ｕ４で洗浄処理が行われる場合について説明する。なお、図６では、室内機Ｕ１，Ｕ２，Ｕ３，Ｕ４のそれぞれの室内膨張弁１２を「室内膨張弁」と記載し、また、それぞれの室内ファン１１を「室内ファン」と記載している。
【００４４】
また、図６の例では、時刻ｔ０において空気調和機１００が停止状態であり、四方弁５の弁体（図示せず）が暖房サイクルの位置になっている。室内熱交換器１０を凍結させる前準備として、制御部２０は、時刻ｔ１〜ｔ３において室内機Ｕ１，Ｕ２，Ｕ３，Ｕ４の室内ファン１１を所定の回転速度Ｎｆｉ１で駆動させる。また、制御部２０は、時刻ｔ２から室外ファン３を所定の回転速度Ｎｆｏ１で駆動させる。これによって、室内温度・室外温度が検出される。そして、時刻ｔ３〜ｔ４において制御部２０は、室外ファン３を駆動させつつ、室外膨張弁４を閉弁状態で維持し、圧縮機１を比較的低速の回転速度Ｎｃ２で駆動させる。これによって、四方弁４の高圧側・低圧側の差圧が適宜に調整される。
【００４５】
このような処理を行った後、時刻ｔ４〜ｔ５において制御部２０は、室内機Ｕ１，Ｕ２，Ｕ３，Ｕ４のそれぞれの室内熱交換器１０を凍結させる処理を行う（図５のＳ１０３ａ）。すなわち、制御部２０は、時刻ｔ４において四方弁５を暖房サイクルから冷房サイクルに切り替える。また、時刻ｔ４〜ｔ５において制御部２０は、室外膨張弁４を開いた状態（図６の例では全開）とする一方、室内膨張弁１２を所定開度Ｅｉ１に絞り、圧縮機１を所定の回転速度Ｎｃ１で駆動させる。
【００４６】
このように、制御部２０が室内機Ｕ１，Ｕ２，Ｕ３，Ｕ４の室内膨張弁１２を所定開度Ｅｉ１に絞ることで、それぞれの室内熱交換器１０が蒸発器として機能する。その結果、室内熱交換器１０に低温低圧の冷媒が通流して、室内熱交換器１０が凍結する。制御部２０は、例えば、室内熱交換器温度センサ１４（図３参照）の検出値が氷点下である状態を所定時間、継続させる。
【００４７】
また、それぞれの室内熱交換器１０の凍結中（時刻ｔ４〜ｔ５）、制御部２０は、室外ファン３を所定の回転速度Ｎｆｏ１で駆動させる一方、それぞれの室内ファン１１を停止状態にする。その結果、凝縮器として機能する室外熱交換器２に外気が送り込まれる。また、それぞれの室内熱交換器１０のフィン（図示せず）の隙間を介して、自然対流で空気が流れる。これによって、空調室が過度に冷やされることを抑制できる。なお、それぞれの室内熱交換器１０の凍結中、制御部２０が室内ファン１１を低速で駆動させてもよい。
【００４８】
それぞれの室内熱交換器１０を凍結させた後、時刻ｔ５〜ｔ６において制御部２０は、室内熱交換器１０の解凍の前準備として、圧縮機１を比較的低速の回転速度Ｎｃ２で駆動させる。これによって、四方弁５の高圧側・低圧側の差圧が適宜に調整される。ちなみに、四方弁５の高圧側・低圧側の差圧が比較的大きい場合には、図６に示すように、解凍の前準備として制御部２０が圧縮機１を減速させるが、前記した差圧が小さすぎる場合には、制御部２０が圧縮機１を増速させる。また、制御部２０は、室内膨張弁１２の開度を凍結時の所定開度Ｅｉ１で維持する。
【００４９】
そして、それぞれの室内熱交換器１０の解凍（図５のＳ１０３ｂ）を行う際、制御部２０は、四方弁５を冷房サイクルから暖房サイクルに切り替える。前記したように、四方弁５の高圧側・低圧側の差圧が適宜に調整されるため、圧縮機１の駆動を継続しつつ、四方弁５を切り替えることができる。なお、室内熱交換器１０の凍結後、制御部２０が圧縮機１をいったん停止させ、四方弁５を冷房サイクルから暖房サイクルに切り替えた後、室内熱交換器１０を解凍するようにしてもよい。
【００５０】
それぞれの室内熱交換器１０の解凍中（時刻ｔ６〜ｔ７）、制御部２０は、室外膨張弁４を所定開度Ｅｏ１に絞る一方、それぞれの室内膨張弁１２を開く（図６の例では、全開にする）。これによって、室内熱交換器１０が凝縮器として機能し、室内熱交換器１０の伝熱管（図示せず）を介して、高温の冷媒が通流する。
【００５１】
また、制御部２０は、それぞれの室内熱交換器１０の解凍中（時刻ｔ６〜ｔ７）、室外ファン３を所定の回転速度Ｎｆｏ２で駆動させる一方、それぞれの室内ファン１１を停止状態で維持する。これによって、室内熱交換器１０の解凍に伴う冷気が室内機Ｕ１，Ｕ２，Ｕ３，Ｕ４から空調室に流れ込むことを抑制できる。なお、それぞれの室内熱交換器１０の解凍中、制御部２０が、室内ファン１１を低速で駆動させてもよい。
【００５２】
そして、それぞれの室内熱交換器１０の解凍後、時刻ｔ７から所定時間、制御部２０は、室内熱交換器１０を乾燥させる（図５のＳ１０３ｃ）。図６の例では、制御部２０は、それぞれの室内ファン１１を含む各機器を停止させている。このような処理において、制御部２０が、室内熱交換器１０の解凍の終了時（時刻ｔ７）から所定時間、リモコン１５の操作に基づく空調運転を禁止させてもよい。これによって、室内機Ｕ１，Ｕ２，Ｕ３，Ｕ４から空調室に冷気が流れ込むことを防止し、また、室内熱交換器１０を自然対流で乾燥させることができる。
【００５３】
＜効果＞
第１実施形態によれば、制御部２０は、複数台の室内機Ｕ１，Ｕ２，Ｕ３，Ｕ４のうち所定の室内機Ｕ１が、室内熱交換器１０を凍結させる処理を開始するまで、他の室内機Ｕ２，Ｕ３，Ｕ４では、室内熱交換器１０の凍結を開始しない。これによって、室内機ごとに個別に洗浄処理が行われる場合に比べて、圧縮機１の駆動頻度を低減し、ひいては、空気調和機１００の消費電力量を大幅に削減できる。
【００５４】
また、複数台の室内機Ｕ１，Ｕ２，Ｕ３，Ｕ４において、室内熱交換器１０の凍結が一括で行われるため、この凍結に伴って、ガス冷媒が通流する配管の共用部分が冷やされる頻度を低減できる。したがって、室内機Ｕ１，Ｕ２，Ｕ３，Ｕ４における単位容量当たりの消費電力量を削減できる。このように第１実施形態によれば、複数の室内熱交換器１０の洗浄における省エネルギ化を図った空気調和機１００を提供できる。
【００５５】
また、第１実施形態によれば、室内機ごとに個別に洗浄処理が行われる場合に比べて、所定期間中に洗浄処理に要する時間（合計値）を短縮できる。これによって、例えば、室内機Ｕ２における洗浄処理が、他の室内機Ｕ１，Ｕ３，Ｕ４の空調運転の妨げになることを抑制できる。したがって、ユーザにとっての快適性・利便性を向上させることができる。なお、室内熱交換器１０の凍結を含む洗浄処理が行われていない期間中、その室内機は、リモコン１５の操作に基づく空調運転を行うことが可能である。
【００５６】
≪第２実施形態≫
第２実施形態は、代表の室内機Ｕ１や他の室内機Ｕ２，Ｕ３，Ｕ４について、洗浄処理の設定が有効であるか否かの他、洗浄処理の時間帯等の条件が満たされているか否かを制御部２０が判定する点が、第１実施形態とは異なっている。なお、その他（空気調和機１００の構成等：図１〜図３参照）については、第１実施形態と同様である。したがって、第１実施形態とは異なる部分について説明し、重複する部分については説明を省略する。
【００５７】
図７Ａ、図７Ｂは、第２実施形態に係る空気調和機の制御部が実行する処理のフローチャートである（適宜、図１、図３を参照）。
なお、図７ＡのステップＳ２０１，Ｓ２０２の処理は、この順で、図４のステップＳ１０１，Ｓ１０２の処理と同様であるから、説明を省略する。
ステップＳ２０２において代表の室内機Ｕ１の空調運転時間の積算値が所定値に達している場合（Ｓ２０２：Ｙｅｓ）、制御部２０の処理はステップＳ２０３に進む。一方、ステップＳ２０２において代表の室内機Ｕ１の空調運転時間の積算値が所定値に達していない場合（Ｓ２０２：Ｎｏ）、制御部２０の処理は「ＳＴＡＲＴ」に戻る（図７Ｂの「ＲＥＴＵＲＮ」）。
【００５８】
ステップＳ２０３において制御部２０は、代表の室内機Ｕ１の洗浄処理の設定が有効になっているか否かを判定する。なお、洗浄処理の設定の有効／無効は、例えば、管理者（ユーザ）による集中管理機器１６（図３参照）の操作で切り替えられる。ステップＳ２０３において、代表の室内機Ｕ１の洗浄処理の設定が有効になっている場合（Ｓ２０３：Ｙｅｓ）、制御部２０の処理はステップＳ２０４に進む。一方、代表の室内機Ｕ１の洗浄処理の設定が無効になっている場合（Ｓ２０３：Ｎｏ）、制御部２０の処理は「ＳＴＡＲＴ」に戻る（図７Ｂの「ＲＥＴＵＲＮ」）。
【００５９】
ステップＳ２０４において制御部２０は、代表の室内機Ｕ１について、洗浄処理の時間帯等の条件が満たされているか否かを判定する。なお、洗浄処理が行われる時間帯の他、その曜日や日付等が、管理者（ユーザ）による集中管理機器１６（図３参照）の操作で設定できるようになっている。
【００６０】
ステップＳ２０４において、代表の室内機Ｕ１について、洗浄処理の時間帯等の条件が満たされている場合（Ｓ２０４：Ｙｅｓ）、制御部２０の処理はステップＳ２０５に進む。例えば、日曜日の１８時〜２３時の時間帯の中で洗浄処理を行うように設定されていた場合において、現時点が日曜日の１９時であるときには、洗浄処理の時間帯等の条件が満たされている（Ｓ２０４：Ｙｅｓ）。一方、代表の室内機Ｕ１について、洗浄処理の時間帯等の条件が満たされていない場合（Ｓ２０４：Ｎｏ）、制御部２０の処理は「ＳＴＡＲＴ」に戻る（図７Ｂの「ＲＥＴＵＲＮ」）。
【００６１】
ステップＳ２０５において制御部２０は、洗浄処理の実行を決定する。なお、洗浄処理が実際に行われるのは（図７ＢのＳ２１３）、残りの室内機Ｕ２，Ｕ３，Ｕ４について、図７ＢのステップＳ２０６〜Ｓ２１２の処理が行われた後である。
【００６２】
図７ＢのステップＳ２０６において制御部２０は、ｎ＝２とする。この値ｎは、室内機Ｕ２，Ｕ３，Ｕ４のいずれかを室内機Ｕｎとして指定する際に用いられる値であり、適宜にインクリメントされる（Ｓ２１２）。
ステップＳ２０７において制御部２０は、他の室内機Ｕｎの洗浄処理の設定が有効になっているか否かを判定する。例えば、ｎ＝２の場合には、ステップＳ２０７において制御部２０は、室内機Ｕ２の洗浄処理の設定が有効になっているか否かを判定する。他の室内機Ｕｎの洗浄処理の設定が有効になっている場合（Ｓ２０７：Ｙｅｓ）、制御部２０の処理はステップＳ２０８に進む。
【００６３】
次に、ステップＳ２０８において制御部２０は、他の室内機Ｕｎで洗浄処理の時間帯等の条件が満たされているか否かを判定する。ステップＳ２０８において、他の室内機Ｕｎで洗浄処理の時間帯等の条件が満たされている場合（Ｓ２０８：Ｙｅｓ）、制御部２０の処理はステップＳ２０９に進む。
ステップＳ２０９において制御部２０は、他の室内機Ｕｎ（例えば、室内機Ｕ２）を洗浄処理の対象に含める。
【００６４】
一方、他の室内機Ｕｎの洗浄処理の設定が有効になっていない場合（Ｓ２０７：Ｎｏ）、又は、他の室内機Ｕｎについて時間帯等の条件が満たされていない場合（Ｓ２０８：Ｎｏ）、制御部２０の処理はステップＳ２１０に進む。
ステップＳ２１０において制御部２０は、他の室内機Ｕｎを洗浄処理の対象から外す。例えば、室内機Ｕ４の洗浄処理の設定が無効になっている場合（Ｓ２０７：Ｎｏ）、制御部２０は、この室内機Ｕ４を洗浄処理の対象から外す。
【００６５】
このように、制御部２０は、他の室内機Ｕ２，Ｕ３，Ｕ４のうち、洗浄処理（室内熱交換器１０の凍結等の処理）の設定が無効になっている室内機、又は、洗浄処理を行う曜日、日付、及び時間帯のうち少なくとも一つの条件が満たされていない室内機を洗浄処理の対象から外す。そして、ステップＳ２０９又はＳ２１０の処理を行った後、制御部２０の処理はステップＳ２１１に進む。
【００６６】
ステップＳ２１１において制御部２０は、値ｎが値Ｎに達したか否かを判定する。値Ｎは、室内機Ｕ１，Ｕ２，Ｕ３，Ｕ４の全台数（第２実施形態では４台）であり、制御部２０に予め記憶されている。
ステップＳ２１１において値ｎが値Ｎに達していない場合（Ｓ２１１：Ｎｏ）、制御部２０の処理はステップＳ２１２に進む。
ステップＳ２１２において制御部２０は、値ｎをインクリメントする。そして、値ｎをインクリメントした後、制御部２０の処理はステップＳ２０７に戻る。このように制御部２０は、室内機Ｕ２，Ｕ３，Ｕ４について、洗浄処理の可否を順次に判定する。
【００６７】
また、ステップＳ２１１において値ｎが値Ｎに達している場合（Ｓ２１１：Ｙｅｓ）、制御部２０の処理はステップＳ２１３に進む。
ステップＳ２１３において制御部２０は、代表の室内機Ｕ１とともに、他の室内機（例えば、室内機Ｕ２，Ｕ３）でも洗浄処理を行う。つまり、制御部２０は、代表の室内機Ｕ１の洗浄処理の時間帯と、他の室内機Ｕ２，Ｕ３の洗浄処理の時間帯と、が少なくとも部分的に重なるように、洗浄処理を実行する。一方、洗浄処理の対象から外された室内機（例えば、室内機Ｕ４）については、制御部２０は、今回の洗浄処理を行わないようにする。
【００６８】
図８は、空気調和機における洗浄処理のタイムチャートである。
なお、図８は、洗浄処理の対象に含まれる室内機Ｕ１，Ｕ２，Ｕ３の各機器と、洗浄処理の対象から外された室内機Ｕ４の各機器と、を分けて記載している点が、第１実施形態の図６とは異なるが、それ以外の点については図６と同様である。以下では主に、洗浄処理の対象から外された室内機Ｕ４について説明し、それ以外については説明を省略する。
【００６９】
図８に示すように、制御部２０は、室内機Ｕ１，Ｕ２，Ｕ３の室内熱交換器１０を凍結させる処理中（時刻ｔ４〜ｔ５）、次の処理を行う。すなわち、制御部２０は、複数台の室内機Ｕ１，Ｕ２，Ｕ３，Ｕ４のうち、処理（凍結）の対象である室内機Ｕ１，Ｕ２，Ｕ３の室内熱交換器１０を蒸発器として機能させる一方、処理（凍結）の対象外である室内機Ｕ４の室内膨張弁１２を閉じる。これによって、室内機Ｕ４に低温の冷媒が流れることを防止できる。
【００７０】
さらに、制御部２０は、前記した処理後（凍結後）、複数台の室内機Ｕ１，Ｕ２，Ｕ３，Ｕ４のうち、処理（凍結）の対象である室内機Ｕ１，Ｕ２，Ｕ３の室内熱交換器１０を凝縮器として機能させる一方、処理（凍結）の対象外である室内機Ｕ４の室内膨張弁１２を開く（時刻ｔ６〜ｔ７の「解凍」）。これによって、室内機Ｕ１，Ｕ２，Ｕ３のそれぞれの室内熱交換器１０の霜が溶けて、室内熱交換器１０が洗い流される。また、洗浄処理の対象外である室内機Ｕ４の室内膨張弁１２を開くことで、この室内機Ｕ４の室内熱交換器１０に冷媒が溜まり込むことを防止できる。
【００７１】
＜効果＞
第２実施形態によれば、代表の室内機Ｕ１や他の室内機Ｕ２，Ｕ３，Ｕ４のそれぞれについて、洗浄処理の設定が有効になっているか否かの他、洗浄処理の時間帯等の条件が満たされているか否かが判定される。これによって、洗浄処理に関するユーザの設定の自由度を高めることができる。
【００７２】
≪変形例≫
以上、本発明に係る空気調和機１００について各実施形態で説明したが、本発明はこれらの記載に限定されるものではなく、種々の変更を行うことができる。
例えば、第１実施形態では、室内熱交換器１０を凍結させる処理について説明したが、これに限らない。すなわち、室内熱交換器１０の凍結に代えて、室内熱交換器１０を結露させてもよい。このように室内熱交換器１０を結露させる場合、制御部２０は、室内熱交換器１０の温度が、外気の露点以下であり、かつ、所定の凍結温度よりも高くなるように、室内膨張弁１２の開度等を調整し、その状態を所定時間継続させる。前記した「凍結温度」とは、室内熱交換器１０の温度を徐々に低下させたとき、空気に含まれる水分が室内熱交換器１０で凍結し始める温度である。
なお、室内熱交換器１０を「凍結」させる場合よりも、「結露」の方が室内膨張弁１２の開度が大きい点以外は、「凍結」の場合の制御内容と同様である。また、第２実施形態についても同様のことがいえる。
【００７３】
また、各実施形態では、室内熱交換器１０の凍結後、制御部２０が室内熱交換器１０を凝縮器として機能させ、室内熱交換器１０を解凍させる処理について説明したが、これに限らない。例えば、室内熱交換器１０の凍結後、制御部２０が室内膨張弁１２の開度を凍結時よりも大きくする（例えば、全開にする）ようにしてもよい。これによって、室外熱交換器２から室内膨張弁１２を介して、室内熱交換器１０に高温の冷媒が流れ込み、室内熱交換器１０が解凍される。
【００７４】
また、第１実施形態では、代表の室内機Ｕ１において、前回の洗浄処理の終了時からの空調運転時間の積算値が所定値に達した場合（図４のＳ１０２）、洗浄処理が実行される（Ｓ１０３）ことを説明したが、これに限らない。例えば、空調運転時間を積算する際の起算点が室内機Ｕ１等の凍結の終了時であってもよい。すなわち、代表の室内機Ｕ１の室内熱交換器１０を凍結させる処理の前回終了時からの空調運転時間の積算値が所定値に達した場合、制御部２０が、代表の室内機Ｕ１とともに、他の室内機Ｕ２，Ｕ３，Ｕ４でも前記した処理（凍結）を実行するようにしてもよい。また、代表の室内機Ｕ１の室内熱交換器１０を凍結させる処理の前回終了時からの室内ファン１１（室内機Ｕ１の室内ファン１１）の駆動時間の積算値が所定値に達した場合、代表の室内機Ｕ１とともに、他の室内機Ｕ２，Ｕ３，Ｕ４でも前記した処理（凍結）を実行するようにしてもよい。なお、第２実施形態についても同様のことがいえる。ちなみに、冷房運転や暖房運転等の空調運転が行われていないときでも、制御部２０が、室内ファン１１を適宜に駆動させることもある。したがって、空調運転時間と室内ファン１１の駆動時間とが異なっていることもある。
【００７５】
また、代表の室内機Ｕ１における空調運転時間の積算値、又は、室内ファン１１の駆動時間の積算値が所定値に達していない場合において、リモコン１５の操作で他の室内機Ｕ２，Ｕ３，Ｕ４への処理（室内熱交換器１０の凍結）の開始指令があったとき、制御部２０が、この開始指令を受け付けないことが好ましい。これによって、管理者以外のユーザによる個々のリモコン１５の操作で、洗浄処理が徒に頻繁に行われることを防止できる。したがって、空気調和機１００の消費電力量を削減できる。
【００７６】
また、各実施形態では、代表の室内機Ｕ１の台数が１台である場合について説明したが、代表の室内機（所定の室内機）の台数が２台以上であってもよい。そして、２台以上である代表の室内機について、室内熱交換器１０を凍結させる処理の前回終了時からの空調運転時間の積算値の和をとった値（若しくは、当該和を代表の室内機の台数で平均した値）が所定値に達した場合、制御部２０が、２台以上である代表の室内機とともに、他の室内機でも、室内熱交換器１０を凍結させる処理を実行するようにしてもよい。
同様に、２台以上である代表の室内機について、室内熱交換器１０を凍結させる処理の前回終了時からの室内ファン１１の駆動時間の積算値の和をとった値（若しくは、当該和を代表の室内機の台数で平均した値）が所定値に達した場合、制御部２０が、２台以上である代表の室内機とともに、他の室内機でも、室内熱交換器１０を凍結させる処理を実行するようにしてもよい。これによって、制御部２０は、２台以上である代表の室内機の平均的な空調運転時間等に基づき、洗浄処理を実行できる。
なお、室内機Ｕ１〜Ｕ４の全てが代表の室内機として設定されるようにしてもよい。この場合でも、前記した空調運転時間や室内ファン１１の駆動時間に基づいて、制御部２０が、洗浄処理を適切な頻度で実行できる。
【００７７】
また、各実施形態において、リモコン１５の識別情報等に基づいて、代表の室内機Ｕ１が設定されるようにしてもよい。すなわち、複数台の室内機Ｕ１，Ｕ２，Ｕ３，Ｕ４には、配線ｍ４（図２参照）を介して代表のリモコン１５（所定のリモコン）に接続されている代表の室内機Ｕ１（所定の室内機）と、別の配線ｍ４（図２参照）を介して他のリモコン１５に接続されている他の室内機Ｕ２，Ｕ３，Ｕ４と、が含まれている。このような構成において、代表のリモコン１５は、予め設定されている、又は、集中管理機器１６の操作に基づいて変更可能であることが好ましい。これによって、管理者は、それぞれのリモコン１５の識別情報等に基づいて、代表の室内機Ｕ１を適宜に設定できる。
【００７８】
また、代表のリモコン１５に複数台の室内機（図示せず）が接続されていてもよい。そして、複数台の室内機には、配線ｍ４を介して代表のリモコン１５（所定のリモコン）に接続されている２台以上の室内機と、別の配線ｍ４を介して他のリモコンに接続されている他の室内機と、が含まれている。このような構成において、代表の室内機（所定の室内機）は、代表のリモコン１５に配線ｍ４を介して接続されている２台以上の室内機に含まれる所定の１台の室内機であることが好ましい。これによって、管理者は、１つのリモコン１５に複数台の室内機が接続されている構成であっても、特定の室内機を代表として設定できる。
【００７９】
また、室内熱交換器１０を凍結させる処理中、リモコン１５又は集中管理機器１６の操作で代表の室内機Ｕ１（所定の室内機）への空調運転の指令があった場合、制御部２０が、代表の室内機Ｕ１及び他の室内機Ｕ２，Ｕ３，Ｕ４での処理(凍結)を中止し、代表の室内機Ｕ１で空調運転を実行することが好ましい。これによって、代表の室内機Ｕ１で空調運転を行いたいというユーザの意図を適切に反映できる。
【００８０】
また、室内熱交換器１０を凍結させる処理中、リモコン１５又は集中管理機器１６の操作で他の室内機Ｕ２，Ｕ３，Ｕ４のうち少なくとも一台に空調運転の指令があった場合、制御部２０が、代表の室内機Ｕ１（所定の室内機）及び他の室内機Ｕ２，Ｕ３，Ｕ４での処理（凍結）を中止し、少なくとも一台の他の室内機で空調運転を実行することが好ましい。これによって、例えば、他の室内機Ｕ２で空調運転を行いたいというユーザの意図を適切に反映できる。
【００８１】
また、各実施形態では、室内熱交換器１０の凍結・解凍・乾燥が洗浄処理に含まれる場合について説明したが（図５参照）、これに限らない。例えば、室内熱交換器１０の解凍・乾燥のうち一方又は両方が適宜に省略されてもよい。室内機における空気の自然対流によって、室内熱交換器１０の解凍又は乾燥が進むからである。
また、室内機Ｕ１〜Ｕ４の種類は、特に限定されるものではない。例えば、４方向カセット型、天井埋込型、床置型、壁掛型等の複数種類うち、いずれか１種類が用いられてもよいし、また、複数種類の室内機が混在していてもよい。
【００８２】
また、各実施形態では、室外機Ｕｏ（図１参照）が室外膨張弁４や四方弁５を備える構成について説明したが、これに限らない。例えば、冷房専用の空気調和機において、室外膨張弁４や四方弁５が省略されてもよい。
また、各実施形態では、４台の室内機Ｕ１，Ｕ２，Ｕ３，Ｕ４（図１参照）が設けられる構成について説明したが、１系統において並列接続される室内機の台数は、２台や３台であってもよいし、また、５台以上であってもよい。
【００８３】
また、各実施形態では、空気調和機１００（図１参照）が１台の室外機Ｕｏを備える構成について説明したが、１系統で複数台の室外機が並列接続される構成であってもよい。
また、各実施形態は、ビル用マルチエアコン（ＶＲＦ：Variable Refrigerant Flow）やパッケージエアコン（ＰＡＣ：Packaged Air Conditioner）といった様々な種類の空気調和機に適用可能である。
【００８４】
また、制御部２０の処理（図４、図５、図７Ａ、図７Ｂ参照）をコンピュータに実行させるためのプログラムを通信回線を介して提供することが可能であり、また、ＣＤ−ＲＯＭ等の記録媒体に所定のプログラムを書き込んで配布することも可能である。
【００８５】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【００８６】
１    圧縮機
２    室外熱交換器
３    室外ファン
４    室外膨張弁
５    四方弁
１０  室内熱交換器
１１  室内ファン
１２  室内膨張弁
１５  リモコン
１６  集中管理機器
２０  制御部
１００  空気調和機
Ｊ１，Ｊ２，Ｊ３，Ｊ４，Ｊ５，Ｊ６，Ｊ７，Ｊ８，Ｊ９，Ｊ１０，Ｊ１１，Ｊ１２，Ｊ１３，Ｊ１４  配管      
ｍ４  配線
Ｑ    冷媒回路
Ｕｏ  室外機
Ｕ１  室内機（所定の室内機）
Ｕ２，Ｕ３，Ｕ４  室内機（他の室内機）
【要約】
複数の室内熱交換器の洗浄における省エネルギ化を図った空気調和機を提供する。空気調和機（１００）は、圧縮機（１）及び室外熱交換器（２）を有する室外機（Ｕｏ）と、室内膨張弁（１２）及び室内熱交換器（１０）を有する複数台の室内機（Ｕ１，Ｕ２，Ｕ３，Ｕ４）と、が配管を介して接続されてなる冷媒回路（Ｑ）を備えるとともに、少なくとも圧縮機（１）及び複数の室内膨張弁（１２）を制御する制御部を備える。制御部は、複数台の室内機（Ｕ１，Ｕ２，Ｕ３，Ｕ４）に含まれる所定の室内機（Ｕ１）が、室内熱交換器（１０）を凍結又は結露させる処理を開始するまで、他の室内機（Ｕ２，Ｕ３，Ｕ４）では、前記処理を開始しない。【図１】
0006786019.tif 000002
【図２】
0006786019.tif 000003
【図３】
0006786019.tif 000004
【図４】
0006786019.tif 000005
【図５】
0006786019.tif 000006
【図６】
0006786019.tif 000007
【図７Ａ】
0006786019.tif 000008
【図７Ｂ】
0006786019.tif 000009
【図８】
0006786019.tif 000010